(57)【要約】【課題】  乗客コンベア用進入阻止体として、欄干デッキ上面の清掃性がよく、意匠性維持にも優れたものを提供する。【解決手段】  乗客コンベア１の欄干パネル１１の外側空間部への人体の進入を阻止する進入阻止体を備えたものにおいて、欄干デッキ１３などの横幅を塞ぐものとして、欄干パネル１１の外面に沿って並行する二面の側板体１５Ａ，１５Ｂと、これら側板体１５Ａ，１５Ｂの頂部をつなぐ天板体１５Ｃで形成される逆Ｕ字形の進入阻止体１５を配置し、この進入阻止体１５の下端部を欄干デッキ１３などに固定的に設けた。【選択図】  図３
2005035781.tif 000002
【特許請求の範囲】
【請求項１】
無端状に連結されて移動するステップとハンドレール、前記ステップと前記ハンドレール間の側壁となる欄干体を備えた乗客コンベアの、欄干パネル及び欄干デッキで形成される外側空間部に、前記欄干デッキの横幅を塞ぐ進入阻止体を備えたものにおいて、前記進入阻止体を、前記欄干パネルの外面に沿って並行する二面の側板体と、これら側板体の頂部をつなぐ天板体で形成される逆Ｕ字形状とし、この進入阻止体の側板体の下端部を前記欄干デッキに固定する構成としたことを特徴とする乗客コンベアの進入阻止体。
【請求項２】
前記進入阻止体の両側板体と天板体相当部分をパイプ材の折曲げ体で構成したことを特徴とする請求項１記載の乗客コンベアの進入阻止体。
【発明の詳細な説明】
【発明の詳細な説明】
【技術分野】
【０００１】  本発明は、エスカレーターや動く歩道等の乗客コンベアに係り、乗客コンベアの外側からの欄干デッキへの人体の進入を阻止し、高所となる欄干デッキからの人体の落下事故を防ぐ進入阻止体の構成に関する。
【背景技術】
【０００２】  乗客コンベアの外側周辺の危険部位に人体が進入するのを阻止する従来技術としては、欄干体の外側に欄干柱を有するものに進入阻止体を取付けたもの（例えば特開昭５０−１５０１８０号公報）や進入阻止体を複層体として強度増しを図るもの（例えば特開平１０−８７２５６号公報）などが知られている。
【発明が解決しようとする課題】
【０００３】  上記従来例の前者は、欄干柱に装備した操作スイッチのいたずら防止や操作性の向上に、後者は、進入阻止体単体の強度増しに主眼をおいたもので、欄干パネルの外面に直交し、その下端部が欄干デッキの上面に接近して設けられるこの種安全設備がもたらす欄干デッキ上面の清掃性の阻外という点には配慮されていなかった。このため、塵埃が堆積し易い欄干デッキの上面を、欄干パネルの外面に沿って清掃具を移動させた場合に、欄干デッキに接近しているこの種安全設備が障壁となって清掃ができず、美観維持の阻外事由となっていた。なお、この清掃障壁となる問題は、特に並設設置された乗客コンベアにおいて、接近する互いの欄干デッキを跨いで一体品が固設されるタイプの進入阻止体の場合には、清掃面積が広いゆえに深刻であった。
【０００４】  本発明の目的は、欄干デッキ上面の清掃性がよく、意匠性維持に優れた乗客コンベアの進入阻止体を提供することにある。
【問題を解決するための手段】
【０００５】  上記課題は、無端状に連結されて移動するステップとハンドレール、前記ステップと前記ハンドレール間の側壁となる欄干体を備えた乗客コンベアの、前記欄干体を構成する欄干パネル及び欄干デッキで形成される外側空間部に、前記欄干デッキの横幅を塞ぐ進入阻止体を備えたものにおいて、前記進入阻止体を、前記欄干パネルの外面に沿って並行する二面の側板体と、これら側板体の頂部をつなぐ天板体で形成される逆Ｕ字形状とすることにより解決される。また、前記進入阻止体の両側板体と天板体相当部分をパイプ材の折曲げ体で構成したことにより解決される。
【０００６】  上記のように構成した本発明によれば、欄干デッキの上面を清掃する際に進入阻止体が清掃具の移動（欄干デッキの長手方向の清掃）の障壁となることはなく、この清掃容易性が欄干体の美観維持に貢献することができる。
【発明を実施するための最良の形態】
【０００７】  以下、本発明の一実施の形態を図１，図２及び図３を用いて説明する。これらの図面は並設エスカレーター式で全体幅がＷ１の乗客コンベア１と２の一方の乗降口である乗降床３，４と、ステップ５，６とハンドレール７，８間の側壁となる欄干体９，１０、欄干パネル１１，１２、欄干デッキ１３，１４などで形成される間隔Ｗ２の外側空間部Ｑ１，Ｑ２に本発明の一実施例である進入阻止体１５を欄干デッキ１３及び１４を跨いで設置した状態を図示してある。ここで、進入阻止体１５は、欄干パネル１１と１２の外面、すなわちステップ５，６の移動方向に沿って並行する二面の側板体１５Ａ，１５Ｂと、これら側板体１５Ａ，１５Ｂの頂部を接着あるいは熱曲げでつないだ天板体１５Ｃで形成される横幅Ｗ３の逆Ｕ字形状の三面体として開口部Ｋ１を設け、この進入阻止体１５を構成する側板体１５Ａ及び１５Ｂの下端部を欄干デッキ１３及び１４に金具１７とビス１８で固定して設けたのである。【０００８】  そして、上記の開口部Ｋ１の存在により、図１の乗客コンベア１及び２の欄干デッキ１３及び１４の上面を上部から下部に向けて（図１の右上から左下にかけて）清掃せんとした場合に、清掃具を図３の矢印Ｙのように開口部Ｋ１を通過させてこの欄干デッキ１３及び１４の上部側始端から下部側終端までを連続して清掃可能な構成となっている。【０００９】  さらに、図４は本発明の他の実施例を示すもので図３と同様な向きで図示してあるが、前記進入阻止体１５相当の進入阻止体１９を、前記両側板体１５Ａ，１５Ｂと天板体１５Ｃ相当部分をパイプ材の折曲げ体（一体品）で構成して開口部Ｋ２を形成し、かつこのパイプ材の下端には、開口部Ｋ２を塞がないように欄干パネル１１，１２の外面、すなわちステップ５，６の移動方向に沿ってその長辺が並行する固定体１９Ａを接合し、この固定体１９Ａをビス２０で欄干デッキ１３及び１４に固定して設けたのである。【００１０】  この場合も、開口部Ｋ２の機能が図３と同様に矢印Ｙで示した清掃上の改善効果を発揮するものであり、このパイプ材は，進入阻止体１９自体の取付け強度増しにも有効である。
【発明の効果】
【００１１】  上記実施例は、共通的に欄干デッキ上面の清掃性が向上し、意匠性維持に優れた乗客コンベアの進入阻止体を提供することができる。なお、上記進入阻止体１５，１９は、図示したような欄干デッキ１３及び１４に跨って設置されるものに限定されるものではなく、図２に想像線Ｓで示したように欄干デッキ１３あるいは１４の単独の外側空間部に設けるものにもそのまま適用できる。また、本発明は例示のエスカレーター式乗客コンベアに限定されるものではなく、水平あるいは緩傾斜式乗客コンベアの場合にも制約なく適用できる。
【図面の簡単な説明】
【図１】本発明の一実施形態の乗客コンベア用進入阻止体を設けた要部側面図。
【図２】図１のＡ−Ａ線に沿う断面図。
【図３】図２の要部の部分的斜視図。
【図４】本発明の他の実施例を示す図３相当の部分的斜視図。
【符号の説明】
１，２…乗客コンベア、３，４…乗降床、５，６…ステップ７，８…ハンドレール、９，１０…欄干体、１１，１２…欄干パネル１３，１４…欄干デッキ、１５，１９…進入阻止体１５Ａ，１５Ｂ，…側板体、１５Ｃ…天板体
【図１】
2005035781.tif 000003
【図２】
2005035781.tif 000004
【図３】
2005035781.tif 000005
【図４】
2005035781.tif 000006